(57)【要約】【課題】折曲用罫線等の折曲手段を設けることなく、指掛穴を形成するために舌片を容易に起こすことができるパウチ容器を提供する。【解決手段】表裏一対の外装シート１１、１１及び両外装シート１１、１１の下部から内側に折り込まれてボトムガセット部を形成するガセットシート１２からなるパウチ１０と、このパウチ１０に装着されるスパウト２０とから構成されている。パウチ１０の上縁のシール部は、その右半部のヒートシール領域が下方側に張り出しており、この張り出したシール部１０Ａに、指を掛けて吊り下げる持ち運び用の指掛穴を形成するための切目１３と、この切目１３の両端に繋がる円形の小孔１４、１４が形成されている。シール部１０Ａには、切目１３によって形成される茸形状の舌片１５の基端部を取り囲む未シール領域１０Ｂが形成されており、切目１３の両端に形成された小孔１４、１４が未シール領域１０Ｂの内側に位置している。【選択図】        図１
2008201462.tif 000002
【特許請求の範囲】
【請求項１】
内容物の収容空間の外側に、２枚の合成樹脂シートが相互にヒートシールされたシール部を有し、このシール部に、切目を入れることによって形成された舌片を起こすことで指掛穴が形成されるパウチ容器において、
前記シール部に、前記舌片の基端部を取り囲む未シール領域を設けたことを特徴とするパウチ容器。
【請求項２】
前記切目の両端部には、それぞれに繋がる小孔が形成されており、
前記未シール領域の内側に前記小孔が位置していることを特徴とする請求項１に記載のパウチ容器。
【請求項３】
前記切目は、その両端部に小さな湾曲部を有しており、
前記未シール領域の内側に前記湾曲部が位置していることを特徴とする請求項１に記載のパウチ容器。
【発明の詳細な説明】
【技術分野】
【０００１】
この発明は、内容物の収容空間の外側に、２枚の合成樹脂シートが相互にヒートシールされたシール部を有し、このシール部に、切目を入れることによって形成された舌片を起こすことで指掛穴が形成されるパウチ容器に関する。
【背景技術】
【０００２】
近年、ボトル容器等に詰め替えるためのシャンプーや液体洗剤等の液体商品を充填する容器としては、合成樹脂フィルムにアルミホイル等をラミネートした内面が熱接着性を有するフレキシブルシートによって形成されたボトムガセットタイプのパウチ容器が使用されるようになってきている。
【０００３】
この種のパウチ容器としては、例えば、図７に示すようなものがある。このパウチ容器５０は、同図に示すように、表裏一対の外装シート５２、５２及び両外装シート５２、５２の下部から内側に折り込まれてボトムガセット部を形成するガセットシート５３からなるパウチ５１と、このパウチ５１に装着されたスパウト５４とから構成されており、パウチ５１は、ガセットシート５３の周縁部が外装シート５２、５２の下部周縁にヒートシールされると共に、外装シート５２、５２におけるガセットシート５３にヒートシールされない周縁部同士が相互にヒートシールされることで袋状に形成されている。なお、図７における網掛け表示部分がヒートシール領域を示している。
【０００４】
また、パウチ５１は、相互にヒートシールされた外装シート５２、５２の上端角部のヒートシール領域を内側に張り出させ、その張り出したシール部に切目５１ａを形成することにより舌片５１ｂが形成されているので、この舌片５１ｂを片側に指で押し込むと指掛穴が形成され、その指掛穴に指を掛け、パウチ容器５０を指で吊り下げた状態で持ち運ぶことができるようになっている。
【０００５】
【特許文献１】特開２００２−２１１５８８号公報
【発明の開示】
【発明が解決しようとする課題】
【０００６】
しかしながら、外装シート５２、５２同士がヒートシールされているシール部は硬く、切目５１ａによって形成された舌片５１ｂを起こしにくいので、従来は、図７に示すように、舌片５１ｂを起こしやすくするために、切目５１ａの両端部を結ぶ折曲用罫線５１ｃ等の折曲手段を形成しなければならなかった。
【０００７】
そこで、この発明の課題は、折曲用罫線等の折曲手段を設けることなく、指掛穴を形成するために舌片を容易に起こすことができるパウチ容器を提供することにある。
【課題を解決するための手段】
【０００８】
上記の課題を解決するため、請求項１に係る発明は、内容物の収容空間の外側に、２枚の合成樹脂シートが相互にヒートシールされたシール部を有し、このシール部に、切目を入れることによって形成された舌片を起こすことで指掛穴が形成されるパウチ容器において、前記シール部に、前記舌片の基端部を取り囲む未シール領域を設けたことを特徴とするパウチ容器を提供するものである。
【０００９】
また、請求項２に係る発明は、請求項１に係る発明のパウチ容器において、前記切目の両端部には、それぞれに繋がる小孔が形成されており、前記未シール領域の内側に前記小孔が位置していることを特徴としている。
【００１０】
また、請求項３に係る発明は、請求項１に係る発明のパウチ容器において、前記切目は、その両端部に小さな湾曲部を有しており、前記未シール領域の内側に前記湾曲部が位置していることを特徴としている。
【発明の効果】
【００１１】
以上のように、請求項１に係る発明のパウチ容器は、切目によって形成された舌片の基端部がヒートシールされていないので、舌片の基端部がが硬くならず、折曲用罫線等の折曲手段を設けなくても、舌片を容易に起こすことができる。
【００１２】
また、この未シール領域がヒートシールする際の空気逃がしの役割を果たすので、別途空気逃がしを設ける必要もない。
【００１３】
特に、請求項２に係る発明のパウチ容器や請求項３に係る発明のパウチ容器は、切目の両端部からの破断を防止するために、切目の両端部に設けた小孔や湾曲部が未シール領域の内側に位置しているので、これらの小孔や湾曲部にかかる負荷が軽減され、切目の両端部からの破断をより確実に抑えることができる。
【発明を実施するための最良の形態】
【００１４】
以下、実施の形態について図面を参照して説明する。図１に示すように、このパウチ容器１は、ポリエチレンやポリプロピレン等の熱接着性を有する合成樹脂フィルムの外面にアルミホイル等のガスバリア性シート等を積層したポリエステルフィルム等をラミネートしたフレキシブルシートによって袋状に形成されたパウチ１０と、このパウチ１０に取り付けられる熱接着性樹脂によって形成されたスパウト２０とから構成されている。
【００１５】
前記パウチ１０は、表裏一対の外装シート１１、１１及び両外装シート１１、１１の下部から内側に折り込まれてボトムガセット部を形成するガセットシート１２とから構成されており、折り込まれたガセットシート１２の周縁部が外装シート１１、１１の下部周縁にヒートシールされると共に、外装シート１１、１１におけるガセットシート１２にヒートシールされない周縁部同士が相互にヒートシールされることで袋状に形成されている。また、ガセットシート１２の両側縁には、二つ折りした状態で相互に一致する切欠部１２ａがそれぞれ形成されており、この切欠部１２ａを介して、外装シート１１、１１の両側縁における下端部同士が部分的にヒートシールされている。なお、図１における網掛け表示部分がヒートシール領域を示している。
【００１６】
前記パウチ１０における上縁のシール部は、その右半部のヒートシール領域が下方側に張り出しており、図１及び図２に示すように、この張り出したシール部１０Ａに、パウチ容器１を持ち運ぶ際、指を掛けて吊り下げる持ち運び用の指掛穴を形成するための切目１３と、切目１３の両端からシール部１０Ａが破断しないように、切目１３の両端に繋がる円形の小孔１４、１４が形成されている。
【００１７】
また、シール部１０Ａには、切目１３によって形成される茸形状の舌片１５の基端部を取り囲む未シール領域１０Ｂが形成されており、切目１３の両端に形成された小孔１４、１４が未シール領域１０Ｂの内側に位置している。なお、未シール領域１０Ｂの外縁は、小孔１４、１４から３ｍｍ程度外側に位置していることが望ましい。
【００１８】
前記スパウト２０は、ポリエチレンやポリプロピレン等により形成され、袋状のパウチ１０に取り付けられる固着部２１と、この固着部２１の上部に設けられた、スクリューキャップ２２によって開閉可能な飲口または注口となる口部とから構成されており、固着部２１が表裏一対の外装シート１１、１１の上縁部に挟み込まれた状態で、その側面が外装シート１１、１１の上縁部にヒートシールされている。
【００１９】
以上のように構成されたパウチ容器１は、切目１３の内側部分を片側に指で押し込んで舌片１５を起こすことによって指掛穴が形成されるが、舌片１５の基端部がヒートシールされていないので、舌片１５の基端部が硬くならず、折曲用罫線等の折曲手段を設けなくても、舌片１５を容易に起こすことができる。
【００２０】
また、切目１３の両端部からの破断を防止するために、切目１３の両端部に設けた小孔１４、１４が未シール領域１０Ｂの内側に位置しているので、舌片１５を起こす際に、これらの小孔１４、１４にかかる負荷が軽減され、切目１３の両端部からの破断をより確実に抑えることができる。
【００２１】
さらに、未シール領域１０Ｂがヒートシールする際の空気逃がしの役割を果たすので、別途空気逃がしを設ける必要もなく、しかも、シールバーを交換または改造するだけでよいので、既存の製袋機をそのまま使用することができるという利点もある。
【００２２】
なお、上述した実施形態では、切目１３の両端部に円形の小孔１４を打ち抜いているが、これに限定されるものではなく、例えば、図３（ａ）に示すように、切目１３ａ自体によって小孔１４ａを形成したり、同図（ｂ）に示すように、切目１３ｂの両端部を小さく湾曲させるようにしてもよい。
【００２３】
また、上述した実施形態では、切目１３、１３ａ、１３ｂによって形成される舌片１５が茸形状を有しているが、これに限定されるものではなく、例えば、図４（ａ）〜（ｃ）に示すように、舌片１５が半月形状となるように、切目１３、１３ａ、１３ｂを形成してもよい。
【００２４】
また、上述した各実施形態では、長円形の未シール領域１０Ｂを形成しているが、これに限定されるものではなく、舌片１５の基端部及び小孔１４、１４ａまたは切目１３ｂの湾曲した両端部を含むのであれば、種々の形状を採用することができる。
【００２５】
また、上述した実施形態では、パウチ１０にスパウト２０が装着されたパウチ容器１について説明したが、これに限定されるものではなく、例えば、スパウトが装着されていない、図５に示すようなボトムガセットタイプのパウチ容器２や図６に示すような平袋タイプのパウチ容器３についても本発明を適用することができる。このパウチ容器２、３の場合は、シール幅を大きくした上縁シール部における幅方向の中央部に指掛穴が形成されるように、切目１３や小孔１４、１４等が形成されている。
【図面の簡単な説明】
【００２６】
【図１】この発明にかかるパウチ容器の一実施形態を示す正面図である。
【図２】同上のパウチ容器を示す部分拡大図である。
【図３】（ａ）、（ｂ）は切目の変形例を説明するための説明図である。
【図４】（ａ）〜（ｃ）は舌片の変形例を説明するための説明図である。
【図５】他の実施形態であるパウチ容器を示す正面図である。
【図６】他の実施形態であるパウチ容器を示す正面図である。
【図７】従来のパウチ容器を示す正面図である。
【符号の説明】
【００２７】
１、２、３  パウチ容器
１０  パウチ
１０Ａ  シール部
１０Ｂ  未シール領域
１１  外装シート
１２  ガセットシート
１２ａ  切欠部
１３、１３ａ、１３ｂ  切目
１４、１４ａ  小孔
１５  舌片
２０  スパウト
２１  固着部
２２  スクリューキャップ
【図１】
2008201462.tif 000003
【図２】
2008201462.tif 000004
【図３】
2008201462.tif 000005
【図４】
2008201462.tif 000006
【図５】
2008201462.tif 000007
【図６】
2008201462.tif 000008
【図７】
2008201462.tif 000009